(57)【要約】      （修正有）【課題】物干し竿支持アームの角度を複数段階に可変可能に構成して高さ調整できるスタンドタイプの物干し金物の提供。【解決手段】コンクリート台座２に立設された支柱３の上端部に、複数個の物干し竿挿通孔９a、９ｂ・・・が穿設され固定アーム部５と可動アーム部６からなるＴ字型形状の物干し竿支持アーム４を装着し、固定アーム部５は基部７に挿着部を有し支柱３上端部に固着され、可動アーム部６は固定アーム部５の基部７に設けられた挿着部に回動可能に装着され、垂直に立設された支柱に対して可動アーム６が予め設定された複数段階に角度を可変可能とし、可動アーム部６側の物干し竿挿通孔９a、９ｂ・・・に挿通される物干し竿の高さは、可動アーム６の角度可変により調整できるようにしたスタンドタイプの物干し金物１。【選択図】図２
2007044133.tif 000002
【特許請求の範囲】
【請求項１】
コンクリート等の台座に立設された支柱の上端部に複数個の物干し竿挿通孔を穿設されＴ字型形状の物干し竿支持アームを装着し、
該物干し竿支持アームは固定アーム部と可動アーム部の二点の部材からなり、
前記固定アーム部は基部に挿着部を有して前記支柱上端部に固着可能とし、
前記可動アーム部は固定アーム部の基部に設けられた挿着部に回動可能に装着され垂直に立設された支柱に対してアームが予め設定された複数段階に角度を可変可能とし、
該可動アーム部側の物干し竿挿通孔に挿通される竿の高さを前記アームの角度可変により高さ調整ができること、
を特徴とするスタンドタイプの物干し金物。
【請求項２】
コンクリート等の台座に立設された支柱の上端部に複数個の物干し竿挿通孔を穿設されＴ字型形状の物干し竿支持アームを装着し、
該物干し竿支持アームは固定アーム部と可動アーム部の二点の部材からなり、
前記固定アーム部は基部に装着部を有して前記支柱上端部に固着可能とし、
該固定アーム部の装着部には三角形状のルーズホールが穿設され、また、第一の係止ピン、第二の係止ピン、第三の係止ピンが植設されており、
前記固定アーム部の装着部に穿設された前記ルーズホールにはアーム支持軸を介して前記可動アーム部が回動自在に支持され、
該可動アーム部の先端部に設けられた係止受け部が前記第一の係止ピン、第二の係止ピン、第三の係止ピンに係合することにより垂直に立設された支柱に対してアームが予め設定された複数段階に角度を可変可能となし、
該可動アーム部側の物干し竿挿通孔に挿通される竿の高さを前記アームの角度可変により高さ調整できること、
を特徴とするスタンドタイプの物干し金物。
【請求項３】
前記物干し竿支持アームを形成する固定アームは基部に挿着部を有して支柱上端部に固着可能とし、
該固定アームは支柱上端部に固着する際に水平位置、水平位置よりも高い位置、または、水平位置よりも低い位置のいずれかを選定して製作し前記支柱の上端部に固着すること、
を特徴とする請求項１または請求項２に記載のスタンドタイプの物干し金物。
【請求項４】
前記物干し竿支持アームを形成する固定アーム部と可動アーム部を上端部に固着した支柱は、コンクリート等の台座に立設する際に、予めコンクリート台座にスライド挿入部を有する長さ調整具を嵌合固定し、
該スライド挿入部に支柱下端部を挿入して任意位置でビス止めすることにより支柱の長さを伸張、または、縮小調整すること、
を特徴とする請求項１乃至請求項３に記載のスタンドタイプの物干し金物。
【請求項５】
前記物干し竿支持アームを形成する固定アーム部と可動アーム部を上端部に固着した支柱はコンクリート等の台座に立設するに際し、途中任意高さ位置において両端部に支柱嵌合部を有し中央部に布団干し用竿掛け孔を具備した支柱ジョイント部材を介して支柱を構成し、該布団干し用竿掛け孔に布団干し用竿を挿通装架して布団干しを可能としたこと、
を特徴とする請求項１乃至請求項４に記載のスタンドタイプの物干し金物。
【請求項６】
前記物干し竿支持アームを形成する固定アーム部と可動アーム部を上端部に固着した支柱は、挟持アームを有する壁取付具を介して手摺壁や手摺支柱に固定されバルコニー等用にも利用可能としたこと、
を特徴とする請求項１乃至請求項３または請求項５に記載のスタンドタイプの物干し金物。
【発明の詳細な説明】
【技術分野】
【０００１】
本発明は、スタンドタイプの物干し金物に関する物であり、特にスタンドタイプの物干し金物において、コンクリート等の台座に立設した支柱の上端部に装着されたＴ字型の物干し竿支持アーム、或いは斜めＴ字型の物干し竿支持アームの一部を３段階に角度可変できる物干し金物を提供するものである。
【背景技術】
【０００２】
スタンドタイプの物干し金物とは、戸建住宅の庭置き用に使用たり、手摺壁や手摺のないマンション等の専用庭やテラス等、に使用されている独立型の物干し金物である。
【０００３】
そして、従来の一般的な独立型の物干し金物は、対向して配置されたコンクリート台座にそれぞれ支柱を立設して、該それぞれの支柱の上端部に物干し竿支持アームを斜めに装着したり、Ｔ字型に装着して固定し、該対向して設けられた一対の物干し竿支持アーム間に物干し竿を装架する形状を有している。
【０００４】
而して、従来の独立型の物干し金物にあっては、コンクリート台座に立設される支柱に使用者の所望する高さ調整機能が付いていない。
【０００５】
また、従来の独立型の物干し金物にあっては、物干し竿支持アームが一体物で製造されていることから、物干し竿支持アームの角度変更できず、使う人の好みや、干し物の種類により物干し竿の高さをセットできるように物干し竿支持アームの角度を可変して高さ調整できる機能が要望されてきた。
【０００６】
更にまた、従来の独立型の物干し金物にあっては、コンクリート台座に立設される支柱からフック形状の布団干し用竿掛けを枝木状に突出して設けている構成のために、実際にフック形状の布団干し用竿掛け間に竿を装架して布団を干すとフックの突出部にモーメントが作用してコンクリート台座に立設された支柱が不安定になり、僅かの風によっても物干し金物が倒れることがあった。
【発明の開示】
【発明が解決しようとする課題】
【０００７】
而して本発明が解決しようとする課題は、コンクリート等の台座に立設される物干し金物の支柱に高さ調整機能を付けて、物干し金物の取付時に使用者の所望する高さを有する物干し竿支持アーム位置を得ることができるスタンドタイプの物干し金物を提供する。
【０００８】
また、従来の物干し金物における物干し竿支持アームが、一体物で製造されていることで、物干し竿支持アームの角度変更ができなかったことから、本発明では、使う人の好みや、干し物の種類により物干し竿の高さをセットできるように物干し竿支持アームの角度を複数段階に可変可能に構成して高さ調整できるスタンドタイプの物干し金物を提供する。
【０００９】
更にまた、本発明は、従来の物干し金物における布団干し用竿掛けが、コンクリート等の台座に立設される支柱からフック形状の布団干し用竿掛けを枝木状に突出して設けている構成のために、実際にフック形状の布団干し用竿掛け間に竿を装架して布団を干すとフックの突出部にモーメントが作用してコンクリート台座に立設された支柱が不安定になり、僅かの風によっても物干し金物が倒れることがあったものを改良して、安定した布団干し用竿掛けを有したスタンドタイプの物干し金物を提供する。
【課題を解決するための手段】
【００１０】
斯くして、本発明は、コンクリート等の台座に立設された支柱の上端部に複数個の物干し竿挿通孔を穿設されＴ字型形状の物干し竿支持アームを装着し、該物干し竿支持アームは固定アーム部と可動アーム部の二点の部材からなり、前記固定アーム部は基部に挿着部を有して前記支柱上端部に固着可能とし、前記可動アーム部は固定アーム部の基部に設けられた挿着部に回動可能に装着され垂直に立設された支柱に対してアームが予め設定された複数段階に角度を可変可能に構成したことを要旨とする。
【００１１】
また、本発明は、コンクリート等の台座に立設された支柱の上端部に複数個の物干し竿挿通孔を穿設されＴ字型形状の物干し竿支持アームを装着し、該物干し竿支持アームは固定アーム部と可動アーム部の二点の部材からなり、前記固定アーム部は基部に装着部を有して前記支柱上端部に固着可能とし、該固定アーム部の装着部には三角形状のルーズホールが穿設され、また、第一の係止ピン、第二の係止ピン、第三の係止ピンが植設されており、前記固定アーム部の装着部に穿設された前記ルーズホールにはアーム支持軸を介して前記可動アーム部が回動自在に支持され、該可動アーム部の先端部に設けられた係止受け部が前記第一の係止ピン、第二の係止ピン、第三の係止ピンに係合することにより垂直に立設された支柱に対してアームが予め設定された複数段階に角度を可変可能となし、
該可動アーム部側の物干し竿挿通孔に挿通される竿の高さを前記アームの角度可変により高さ調整できることを要旨とする。
【００１２】
また、本発明において、物干し竿支持アームを形成する固定アームは、基部に挿着部を有して支柱上端部に固着可能とし、該固定アームは支柱上端部に固着する際に水平位置、水平位置よりも高い位置、または、水平位置よりも低い位置のいずれかを選定して製作し前記支柱の上端部に固着することを要旨とする。
【００１３】
また、本発明において、物干し竿支持アームを形成する固定アーム部と可動アーム部を上端部に固着した支柱は、コンクリート等の台座に立設する際に、予めコンクリート台座にスライド挿入部を有する長さ調整具を嵌合固定し、該スライド挿入部に支柱下端部を挿入して任意位置でビス止めすることにより支柱の長さを伸張、または、縮小調整することを要旨とする。
【００１４】
また、本発明において、前記物干し竿支持アームを形成する固定アーム部と可動アーム部を上端部に固着した支柱は、コンクリート等の台座に立設するに際し、途中任意高さ位置において両端部に支柱嵌合部を有し中央部に布団干し用竿掛け孔を具備した支柱ジョイント部材を介して支柱を構成し、該布団干し用竿掛け孔に布団干し用竿を挿通装架して布団干しも可能としたことを要旨とする。
【００１５】
更にまた、本発明において、物干し竿支持アームを形成する固定アーム部と可動アーム部を上端部に固着した支柱は、挟持アームを有する壁取付具を介して手摺壁や手摺支柱に固定されバルコニー等用にも利用可能としたことを要旨とする。
【発明の効果】
【００１６】
而して、本発明は、コンクリート等の台座に立設される物干し金物の支柱に高さ調整機能を付けて、物干し金物の取付時に使用者の所望する高さを有する物干し竿支持アーム位置を得ることができるスタンドタイプの物干し金物を提供することができた。
【００１７】
また、従来の物干し金物における物干し竿支持アームが、一体物で製造されていることで、物干し竿支持アームの角度変更ができなかったことから、本発明では、使う人の好みや、干し物の種類により物干し竿の高さをセットできるように物干し竿支持アームの角度を複数段階に可変可能に構成して、高さ調整できる使いやすいスタンドタイプの物干し金物を提供することができた。
【００１８】
更にまた、本発明は、従来の物干し金物における布団干し用竿掛けが、コンクリート等の台座に立設される支柱からフック形状の布団干し用竿掛けを枝木状に突出して設けている構成のために、実際にフック形状の布団干し用竿掛け間に竿を装架して布団を干すとフックの突出部にモーメントが作用してコンクリート等の台座に立設された支柱が不安定になり、僅かの風によっても物干し金物が倒れることがあったものを改良して、安定した布団干し用竿掛けをも備えたスタンドタイプの物干し金物を提供することができた。
【発明を実施するための最良の形態】
【００１９】
本発明は、コンクリート等の台座に立設された支柱の上端部に複数個の物干し竿挿通孔を穿設されＴ字型形状の物干し竿支持アームを装着し、該物干し竿支持アームは固定アーム部と可動アーム部の二点の部材からなり、前記固定アーム部は基部に挿着部を有して前記支柱上端部に固着可能とし、前記可動アーム部は固定アーム部の基部に設けられた挿着部に回動可能に装着され垂直に立設された支柱に対してアームが予め設定された複数段階に角度を可変可能とし、該可動アーム部側の物干し竿挿通孔に挿通される竿の高さを前記アームの角度可変により高さ調整ができることが好ましい。
【００２０】
本発明は、コンクリート等の台座に立設された支柱の上端部に複数個の物干し竿挿通孔を穿設されＴ字型形状の物干し竿支持アームを装着し、該物干し竿支持アームは固定アーム部と可動アーム部の二点の部材からなり、前記固定アーム部は基部に装着部を有して前記支柱上端部に固着可能とし、該固定アーム部の装着部には三角形状のルーズホールが穿設され、また、第一の係止ピン、第二の係止ピン、第三の係止ピンが植設されており、前記固定アーム部の装着部に穿設された前記ルーズホールにはアーム支持軸を介して前記可動アーム部が回動自在に支持され、該可動アーム部の先端部に設けられた係止受け部が前記第一の係止ピン、第二の係止ピン、第三の係止ピンに係合することにより垂直に立設された支柱に対してアームが予め設定された複数段階に角度を可変可能となし、該可動アーム部側の物干し竿挿通孔に挿通される竿の高さは前記アームの角度可変により高さ調整できることが好ましい。
【００２１】
また、本発明において、物干し竿支持アームを形成する固定アームは、基部に挿着部を有して支柱上端部に固着可能とし、該固定アームは支柱上端部に固着する際に水平位置、水平位置よりも高い位置、または、水平位置よりも低い位置のいずれかを選定して製作し前記支柱の上端部に固着することが好ましい。
【００２２】
また、本発明において、物干し竿支持アームを形成する固定アーム部と可動アーム部を上端部に固着した支柱は、コンクリート等の台座に立設する際に、予めコンクリート等の台座にスライド挿入部を有する長さ調整具を嵌合固定し、該スライド挿入部に支柱下端部を挿入して任意位置でビス止めすることにより支柱の長さを伸張、または、縮小調整することが好ましい。
【００２３】
また、本発明において、物干し竿支持アームを形成する固定アーム部と可動アーム部を上端部に固着した支柱は、コンクリート等の台座に立設するに際し、途中任意高さ位置において両端部に支柱嵌合部を有し中央部に布団干し用竿掛け孔を具備した支柱ジョイント部材を介して支柱を構成し、該布団干し用竿掛け孔に布団干し用竿を挿通装架して布団干しを可能としたことが好ましい。
【００２４】
更にまた、本発明において物干し竿支持アームを形成する固定アーム部と可動アーム部を上端部に固着した支柱は、挟持アームを有する壁取付具を介して手摺壁や手摺支柱に固定されバルコニー等用にも利用可能としたことが好ましい。
【実施例１】
【００２５】
図１乃至図６は、本発明の実施例１を説明するものであり、図１は本発明のスタンドタイプの物干し金物を一対配置し使用例を示す斜視説明図、図２は図１における物干し金物の片側を拡大した形状説明図、図３（ａ）、（ｂ）、（ｃ）は本発明の物干し竿支持アームの駆動操作説明図、図４は本発明のスタンドタイプの物干し金物に組み込まれる支柱の高さ調整機構を説明する斜視図、図５は本発明のスタンドタイプの物干し金物に組み込まれる布団干し用竿掛け機構を説明する拡大斜視図、図６は本発明のスタンドタイプの物干し金物の支柱を手摺壁等に固定する壁取付具を説明する斜視図である。
【００２６】
図１乃至図６において、１は本発明のスタンドタイプの物干し金物、２は前記物干し金物を立設するためのコンクリート台座、３は支柱、４は支柱の上端部にＴ字形状に装着されている物干し竿支持アームであり、該物干し竿支持アーム４は固定アーム部５と可動アーム部６の二点の部材からなり、前記固定アーム部５は、基部７に可動アーム６の装着部８（図３に示す）を有して前記支柱３の上端部に固着されている。
【００２７】
前記物干し竿支持アーム４を構成する固定アーム部５と可動アーム部６には、物干し竿挿通孔９a、９ｂ、９ｃ・・・とハンガー掛け孔１０a、１０ｂ、１０ｃ・・・が穿設されており、前記物干し竿挿通孔９a、９ｂ、９ｃ・・・間には物干し竿１１が装架され、干し物を干せるように構成されている。
【００２８】
また、特に図１において、１２は前記コンクリート台座２に植設された支柱の高さ調整機構であり、１３は支柱３の任意高さ位置に設けられた布団干し用竿掛け機構で、該布団干し用竿掛け機構１３の中央部に穿設された布団干し用竿挿通孔１４間には布団干し用竿１５が装架され、布団を干せるように構成されている。
尚、前記支柱３の高さ調整機構１２の構成は、図４にて、また、布団干し用竿掛け機構１３の構成は、図５にて後述する。
【００２９】
而して、図２は、図１における本発明の物干し金物１の片側を拡大した形状説明図であり、図２において、物干し竿支持アーム４は，支柱３の上端部に通常はＴ字形状に装着されており、該物干し竿支持アーム４は、固定アーム部５と可動アーム部６の二点の部材からなり、前記固定アーム部５は、基部７により水平の位置に固着されている。また、固定アーム部５’は本発明の他の一例として基部７に対して水平の位置よりも下方位置に設定され前記基板７の固定された構成を採用することもできる。
【００３０】
そして、前記可動アーム部６は、基板７に内蔵された装着部８に回動可能に装着され、基板７に対して、可動アーム６a、６ｂ、６ｃの如く回動して、それぞれの位置、即ち、可動アーム６aでは水平位置より略３０度高い位置に、可動アーム６ｂでは水平位置に（支柱３に対しては直角位置）、また、可動アーム６ｃでは水平位置より略３０度下方位置に固定して物干し竿１１を装架することができる。
【００３１】
斯くして、本発明においては、コンクリート台座２に立設された支柱３の上端部に複数個の物干し竿挿通孔９a、９ｂ、９ｃ・・・を穿設されＴ字型形状の物干し竿支持アーム４を装着し、該物干し竿支持アーム４は固定アーム部５と可動アーム部６の二点の部材からなり、前記固定アーム部５は基部７に挿着部８を有して前記支柱３上端部に固着可能とし、前記可動アーム部６は固定アーム部５の基部７に内蔵された挿着部８に回動可能に装着され垂直に立設された支柱３に対して回動アーム６が予め設定された複数段階に角度を可変可能とし、該可動アーム部６側の物干し竿挿通孔９a、９ｂ、９ｃ・・・に挿通される物干し竿１１の高さを前記回動アーム６の角度可変により高さ調整ができるようにしたスタンドタイプの物干し金物１を提供した。
【００３２】
図３（a）、（ｂ）は、前記固定アーム部５を支柱３の上端部に固着する基板７の蓋部１６を取り外し、可動アーム部５の装着部８を図示した。
図３（a）、（ｂ）において、固定アーム部５は基部７に装着部８を内蔵して前記支柱３上端部に固着され、、該固定アーム部５の装着部８には三角形状のルーズホール１７が穿設され、また、第一の係止ピン１８、第二の係止ピン１９、第三の係止ピン２０が植設されており、前記固定アーム部５の装着部８に穿設されたルーズホール１７にはアーム支持軸２１を介して前記可動アーム部６が回動自在に支持されている。
【００３３】
また、可動アーム部６の先端部に設けられた係止受け部２２が前記第一の係止ピン１８、第二の係止ピン１９、第三の係止ピン２０に係合するることにより垂直に立設された支柱３に対して可動アーム６が予め設定された水平位置（可動アーム６ｂ）、水平位置より略３０度高い位置（可動アーム６a）等複数段階に角度を可変可能で、該可動アーム部６側の物干し竿挿通孔９a、９ｂ、９ｃ・・・に挿通される物干し竿１１の高さは前記可動アーム６の角度可変により高さ調整できる。
【００３４】
更に、図３（ｃ）は、前記基部７の蓋部１６を装着した状態にて、可動アーム６の先端部に設けられた係止受け部２２、並びに、前記第一の係止ピン１８、第二の係止ピン１９、第三の係止ピン２０は破線にて図示されている。そして、図（ｃ）においては、係止受け部２２が第三の係止ピン２０に係合しており、可動アーム６は水平位置よりも略３０度下方位置（可動アーム６ｃ）に固定されていて、物干し竿１１の高さは一番低い位置にある。
【００３５】
斯くして、本願発明においては、コンクリート台座２に立設された支柱３の上端部に複数個の物干し竿挿通孔９a、９ｂ、９ｃ・・・を穿設されＴ字型形状を有した物干し竿支持アーム４を装着し、該物干し竿支持アーム４は固定アーム部５と可動アーム部６の二点の部材から構成した。
【００３６】
そして、前記固定アーム部５は基部７に装着部８を有して支柱３の上端部に固着し、該固定アーム部５の装着部８には三角形状のルーズホール１７が穿設され、また、第一の係止ピン１８、第二の係止ピン１９、第三の係止ピン２０が植設されており、前記固定アーム部５の装着部８に穿設されたルーズホール１７にはアーム支持軸２１を介して前記可動アーム部６が回動自在に支持され、該可動アーム部６の先端部に設けられた係止受け部２２が前記第一の係止ピン１８、第二の係止ピン１９、第三の係止ピン２０に係合させることにより垂直に立設された支柱３に対して可動アーム６が予め設定された複数段階に角度を可変可能に構成することにより、該可動アーム部６側の物干し竿挿通孔９a、９ｂ、９ｃ・・・に挿通される物干し竿１１の高さは可動アーム６の角度可変により高さ調整できるようにしたスタンドタイプの物干し金物を提供した。
【００３７】
尚、１７aは回動アーム部６に穿設された摺動溝型のアーム支持軸孔で、該アーム支持軸孔１７aには、アーム支持軸２１が貫通しており、前記ルーズホール１７とアーム支持軸孔１７aにて、第一の係止ピン１８、第二の係止ピン１９、第三の係止ピン２０への係止受け部２２の係合や離脱操作が円滑に行われる。
【００３８】
また、本発明は、図２に示す如く、前記物干し竿支持アーム４を形成する固定アーム５を基部７、及び挿着部８に対してして支柱３の上端部に固着可能とし、
該固定アーム５は支柱３の上端部に固着する際に水平位置５のみではなく、水平位置よりも高い位置、または、水平位置よりも低い位置（図２の符号５ｂにて示す）のいずれかを選定して製作し前記支柱３の上端部に固着することもできる。
【００３９】
次に本発明は、図４に示すように、支柱の高さ調整機構１２を有している。
支柱の高さ調整機構１２は、物干し竿支持アーム４を上端部に固着した支柱３おいて、該支柱３をコンクリート台座２に立設する際に、予めコンクリート台座２にスライド挿入部２３を有する長さ調整具２４を嵌合固定し、該長さ調整具２４のスライド挿入部２３に支柱３の下端部２５を挿入して任意位置でビス２６にてビス止めすることにより、該スライド挿入部２３にて支柱３の長さを伸張、または、縮小調整することができ、物干し金物１の取付時に使用者の所望する高さを有する物干し竿支持アーム４の位置を得ることができるスタンドタイプの物干し金物１を提供した。
【００４０】
また、本発明は、図５に示すように、布団干し用竿掛け機構１３を有している。布団干し用竿掛け調整機構１３は、物干し竿支持アーム４を形成する固定アーム部５と可動アーム部６を上端部に固着した支柱３をコンクリート台座２に立設するに際し、該支柱３の途中、任意高さ位置において両端部に支柱嵌合部２７a、２７ｂを有し中央部２８に布団干し用竿挿通孔１４を具備した支柱ジョイント部材２９を介して支柱３を構成し、該布団干し用竿挿通孔１４に布団干し用竿１５を挿通装架して布団干しも可能とした。
【００４１】
而して、本発明の布団干し用竿掛け機構１３は、従来装置が、コンクリート台座２に立設される支柱３からフック形状の布団干し用竿掛けを枝木状に突出して設けている構成のために、実際にフック形状の布団干し用竿掛け間に竿を装架して布団を干すとフックの突出部にモーメントが作用してコンクリート台座に立設された支柱が不安定になり、僅かの風によっても物干し金物が倒れることがあったものを改良して、安定した布団干し用竿掛け機構１３を備えたスタンドタイプの物干し金物を提供した。
【００４２】
更にまた、本発明は、図６に示すように、物干し竿支持アーム４を形成する固定アーム部５と可動アーム部６を上端部に固着した支柱３を、挟持アーム３０a、３０ｂを有する壁取付具３１を介してボルト・ナット３２にて支柱３に固定し、該壁取付具３１を例えば上下二カ所でアンカーボルト３３にて手摺壁３４等に固定することにより、バルコニー等用にも利用可能としたスタンドタイプの物干し金物を提供した。
【産業上の利用可能性】
【００４３】
而して、従来の物干し金物における物干し竿支持アームが、一体物で製造されていることで、物干し竿支持アームの角度変更ができなかったことから、本発明は、使う人の好みや、干し物の種類により物干し竿の高さをセットできるように物干し竿支持アームの角度を複数段階に可変可能に構成して高さ調整できる使いやすいスタンドタイプの物干し金物を提供することができた。
【００４４】
また、本発明は、従来の物干し金物における布団干し用竿掛けが、コンクリート等の台座に立設される支柱からフック形状の布団干し用竿掛けを枝木状に突出して設けている構成のために、実際にフック形状の布団干し用竿掛け間に竿を装架して布団を干すとフックの突出部にモーメントが作用してコンクリート等の台座に立設された支柱が不安定になり、僅かの風によっても物干し金物が倒れることがあったものを改良して、安定した布団干し用竿掛けをも備えたスタンドタイプの物干し金物を提供するもので、戸建住宅の庭置き用に使用たり、マンション等の専用庭やテラス等に幅広く使用されるスタンドタイプの物干し金物を提供するものででその産業上の利用価値は頗る大きいものである。
【図面の簡単な説明】
【００４５】
【図１】本発明のスタンドタイプの物干し金物を一対配置し使用例を示す斜視説明図である。
【図２】図１における物干し金物の片側を拡大した形状説明図である。
【図３】（ａ）、（ｂ）、（ｃ）は本発明の物干し竿支持アームの駆動操作説明図である。
【図４】本発明の物干し金物に組み込まれる支柱の高さ調整機構を説明する斜視図である。
【図５】本発明の物干し金物に組み込まれる布団干し用竿掛け機構を説明する拡大斜視図である。
【図６】本発明の物干し金物の支柱を手摺壁等に固定する壁取付具を説明する斜視図である。
【符号の説明】
【００４６】
１  物干し金物
２  コンクリート台座
３  支柱
４  物干し竿支持アーム
５  固定アーム部
６  可動アーム部
７  基部
８  装着部
９a、９ｂ、９ｃ・・・  物干し竿挿通孔
１０a、１０ｂ、１０ｃ・・・  ハンガー掛け孔  
１１  物干し竿
１２  高さ調整機構
１３  布団干し用竿掛け機構  
１４  布団干し用竿挿通孔  
１５  布団干し用竿
１６  蓋部
１７  ルーズホール
１７a  摺動溝型のアーム支持軸孔
１８  第一の係止ピン
１９  第二の係止ピン
２０  第三の係止ピン
２１  アーム支持軸  
２２  係止受け部
２３  スライド挿入部
２４  長さ調整具
２５  下端部
２６  ビス
２７a、２７ｂ  支柱嵌合部
２８  中央部
２９  支柱ジョイント部材
３０a、３０ｂ  挟持アーム
３１  壁取付具
３２  ボルト・ナット
３３  アンカーボルト
３４  手摺壁
【図１】
2007044133.tif 000003
【図２】
2007044133.tif 000004
【図３ａ】
2007044133.tif 000005
【図３ｂ】
2007044133.tif 000006
【図３ｃ】
2007044133.tif 000007
【図４】
2007044133.tif 000008
【図５】
2007044133.tif 000009
【図６】
2007044133.tif 000010